(57)【要約】      （修正有）【課題】脱臭、消臭、有害物質の吸着及び調湿機能を備えた内装用建材パネルを提供する。【解決手段】平板状の底板１１上面１１ａの周面に枠部材１２を配設し、枠部材１２により囲まれた内部を分割する複数の仕切り桟部材１３を設ける。枠部材１２及び仕切り桟部材１３を覆うように底板１１と同形状の上板１４を積層配設してなり、底板及び上板のいずれか一方に複数の通気性を備える穴１５加工を施す。枠部材１２及び仕切り桟部材１３と底板１１並びに上板１４によって形成される空間部１６に、ポリエスル、ポリプロピレン、不織布等からなるクッション材の表面、及び裏面の少なくとも一方に、木炭、活性炭、セラミック炭の微粉末とシリカゲル微細末を、アクリル、酢酸ビニールエマルジョン樹脂等の接着剤からなる接着層を介して塗布、含浸させて製作されたシート材１７を装填する。【選択図】図１
0003156327.tif 000002
【実用新案登録請求の範囲】
【請求項１】
平板状の底板上面の周面に枠部材を配設し、且つ該枠部材により囲まれた内部を分割する複数の仕切り桟部材を設けると共に、前記枠部材及び仕切り桟部材を覆うように前記底板と同形状の上板を積層配設してなり、前記底板及び上板のいずれか一方に複数の通気性を備える穴加工を施すと共に、前記枠部材及び仕切り桟部材と前記底板並びに上板によって形成される空間部に、ポリエスル、ポリプロピレン、不織布等からなるクッション材の表面、及び裏面の少なくとも一方に、木炭、活性炭、セラミック炭の微粉末とシリカゲル微細末を、アクリル、酢酸ビニールエマルジョン樹脂等の接着剤からなる接着層を介して塗布、含浸させて製作されたシート材を装填したことを特徴とする内装用建材パネル。
【請求項２】
前記内装建材パネルの底板上面の周面に配設される枠部材、前記枠部材により囲まれた内部を分割する複数の仕切り桟部材、及び上板は、有害物質を含有しない変成澱粉、または酢酸ビニールエマルジョンなどの接着剤により装着されるようにしたことを特徴とする請求項１に記載の内装用建材パネル。
【請求項３】
前記平板状の底板及び上板は、木板、合板、化粧合板、ＭＤＦ，パーテクルボード及びプラスチックからなる群から選択された部材であることを特徴とする請求項１に記載の内装用建材パネル。
【請求項４】
前，後板及び左，右側板と、該前，後板を左右方向に分割する中受板とを備え、且つ前記前，後板の上方にそれぞれ対峙して形成された切欠き段部を有する組み付け枠部材を形成すると共に、前記組み付け枠部材に前記内装用建材パネルを中央部より分割して着脱可能に装着するようにしたことを特徴とする請求項１項〜請求項３のいずれか１項に記載の内装用建材パネル。
【考案の詳細な説明】
【技術分野】
【０００１】
本考案は、脱臭、消臭、有害物質の吸着及び調湿機能を備えた内装用建材パネルに関し、特に住宅における押入れ、造り付け家具、流し台などの住宅資材に適用が可能な内装用建材パネルに関するものである。
【背景技術】
【０００２】
従来の住宅資材は、化粧性に優れデザインも満足されており、安価で大量生産されており、一定の品質が保て、柄など同サイズのものが大量生産できること、強度もある程度確保されており、重量も比較的軽く施工が簡単である等の優れた機能を発揮することで、使用に供されてきた。
【０００３】
従来、この種の建材としては、例えば実開昭５３−６２０１４号公報に示されるように、合成樹脂または厚紙等の材質でハニカム等に区画された多数の空間を有する中空コアを形成し、この中空コアの表裏両面に通気性を有する表面材をそれぞれ接着し、この両表面材で閉塞された中空コアの各空間内に顆粒状のまたは粉末状の活性炭が充填されている。
【０００４】
このような板状建材においては、中空のハニカム状空間内に充填された活性炭が湿度の高い時に吸湿作用を発揮し、逆に湿度が低い時は放湿作用を発揮して湿度調整を行なう吸放湿材として機能する。
【先行技術文献】
【特許文献】
【０００５】
【特許文献１】実開昭５３−０６２０１４号公報
【特許文献２】特開２００１−７３４９７号公報
【特許文献３】特開平０５−１７１７０９号公報
【考案の概要】
【考案が解決しようとする課題】
【０００６】
しかしながら、現在一般に使用に供されている内装用建材パネルは、合板等の１枚パネルを使用した施工が多く、内装用建材パネル自体に、脱臭、消臭などの有害物質の吸着、或いは調湿機能を備えた構造とはなっていない。また、平板状に組み立てられた建材パネルは開発されておらず、ましてや建材パネルの一部を簡単に取り外して交換することによって、脱臭、消臭、有害物質の吸着、湿度の調温などの機能を長く発揮させるための配慮などは一切なされていない。
【０００７】
また、従来の内装用建材パネルは、合板等を使用しているため、合板に使用する接着剤から発生するホルムアルデヒド、トルエン、キシレン、パラジクロベゼント等に代表される有機化合物より揮発発散きれる有害物質の除去の配慮がなされていない。
【０００８】
特に、布団などを収納する押入れの造作にあっては、人体より就寝中に発散される水分、アンモニア臭が布団に吸湿されて、ダニ、ゴキブリ、イガ等害虫の発生に悩まされているのが現状である。
【０００９】
更にまた、従来、押入れなどの造作に使用される内装用建材パネルは、四隅の柱材に、釘、接着剤を使用して固定されおり、一度取り付けてしまうとこれを簡単に取り外したりすることは困難であり、取外しができないため、カビが発生した時、掃除によってこれを取り除き、更に乾燥させたりすることは不可能であり、改良の必要性が求められていた。
【００１０】
また、押入れの上下の中段仕切りに使用される内装用建材パネルは、パネルの厚みが４mm,〜５．５ｍｍしかないため、上下仕切りに使用される内装用建材パネル上に、人が乗って天井部分などの作業を行なう場合は強度に不安を感じることがあった。
【００１１】
本考案は、前述した問題点を改良すべくなされたもので、内装用建材パネルに脱臭、消臭、有害物質の吸着など調湿機能を持たせ、特に脱臭、消臭、有害物質の吸着など調湿機能が必要な住宅における押入れ、造り付け家具、流し台などの住宅資材に適用が可能な強度を備えた内装用建材パネルを提供することを目的とするものである。
【課題を解決するための手段】
【００１２】
上記目的を達成するために、請求項１の考案は、平板状の底板上面の周面に枠部材を配設し、且つ該枠部材により囲まれた内部を分割する複数の仕切り桟部材を設けると共に、前記枠部材及び仕切り桟部材を覆うように前記底板と同形状の上板を積層配設してなり、前記底板及び上板のいずれか一方に通気性を備える複数の穴加工を施すと共に、前記枠部材及び仕切り桟部材と前記底板並びに上板によって形成された空間部に、ポリエスル、ポリプロピレン、不織布等からなるクッション材の表面、及び裏面の少なくとも一方に、木炭、活性炭、セラミック炭の微粉末とシリカゲル微細末を、アクリル、酢酸ビニールエマルジョン樹脂等の接着剤からなる接着層を介して塗布、含浸させて製作したシート材を装填したことを特徴とする。
【００１３】
請求項２の考案は、請求項１項記載の内装用建材パネルにおいて、前記内装建材パネルの底板上面の周面に配設される枠部材、前記枠部材により囲まれた内部を分割する複数の仕切り桟部材及び上板は、有害物質を含有しない変成澱粉、または酢酸ビニールエマルジョンなどの接着剤により装着されるようにしたことを特徴とする。
【００１４】
請求項３の考案は、請求項１項または請求項２に記載の内装用建材パネルにおいて、前記平板状の底板及び上板は、木板、合板、化粧合板、ＭＤＦ，パーテクルボード及びプラスチックからなる群から選択された部材であることを特徴とする。
【００１５】
請求項４の考案は、請求項１〜請求項３項のいずれか１項に記載の内装用建材パネルにおいて、前，後板及び左，右側板と、該前，後板を左右方向に分割する中受板とを備え、且つ前記前，後板の上方にそれぞれ対峙して左右の長手方向に形成された切欠き段部を有する組み付け枠部材を形成すると共に、前記組み付け枠部材に前記内装用建材パネルを中央部より分割して着脱可能に装着されるようにしたことを特徴とする。
【考案の効果】
【００１６】
本考案に係装用建材パネルは、底板及び上板のいずれか一方に通気性を備える複数の穴加工を施すと共に、前記枠部材及び仕切り桟部材と前記底板並びに上板によって形成される空間部に、ポリエスル、ポリプロピレン、不織布等からなるクッション材の表面、及び裏面の少なくとも一方に、木炭、活性炭、セラミック炭の微粉末とシリカゲル微細末を、アクリル、酢酸ビニールエマルジョン樹脂等の接着剤からなる接着層を介して塗布、含浸させて製作されたシート材を装填したことによって、脱臭、消臭、有害物質の吸着及び調湿機能を備えた内装用建材パネルを提供できると共に、特に住宅における押入れ、造り付け家具、流し台などの住宅資材に適用が可能である。
【００１７】
また、内装用建材パネルを分割し、前，後板及び左，右側板と、該前，後板を左右方向に分割する中受板とを備え、且つ前記前，後板の上方にそれぞれ対峙して形成された切欠き段部を有する組み付け枠部材に着脱可能に装着されるようにしたので、必要に応じて内装用建材パネルの一部を取り外して、脱臭、消臭、有害物質の吸着、湿度の調温などの機能を長く発揮させる交換可能構造とすることができる。
【図面の簡単な説明】
【００１８】
【図１】本考案の実施の形態における内装用建材パネルの一部を切欠いて示す全体斜視図。
【図２】本考案の実施の形態における内装用建材パネルを分割して押入れ組付け枠部材に配設した状態を示す全体斜視図。
【図３】本考案の実施の形態における内装用建材パネルを分割して押入れ組付け枠部材を示す分解斜視図。
【図４】本考案の実施の形態における内装用建材パネルを分割して押入れ組付け枠部材に配設した状態を示す図２の１−１線に沿う縦断面図。
【考案を実施するための最良の形態】
【００１９】
次に、本考案に係る内装用建材パネルの実施の形態について、図面を参照して説明する。なお、本考案の内装用建材パネルは、以下に説明する実施の形態に限定されるものではない。
【００２０】
本考案に係る内装用建材パネル１０は、全長が１８０ｍｍ、幅長が９１０ｍｍの大きさの長方形状もので、平板状の底板１１上面１１ａの周面に枠部材１２を配設し、該枠部材１２により囲まれた内部を分割する複数の仕切り桟部材１３を設けると共に、前記枠部材１２及び仕切り桟部材１３を覆うように前記底板１１と同形状の上板１４を積層配設してなり、前記底板１１には通気性を備える複数の穴１５加工を施すと共に、前記枠部材１２及び仕切り桟部材１３と前記底板１１並びに上板１４によって形成される空間部１６に、ポリエスル、ポリプロピレン、不織布等からなるクッション材の表面、及び裏面の少なくとも一方に、木炭、活性炭、セラミック炭の微粉末とシリカゲル微細末を、アクリル、酢酸ビニールエマルジョン樹脂等の接着剤からなる接着層を介して塗布、含浸させて製作されたシート材１７を装填した構成となっている。
【００２１】
前記内装建材パネル１０の底板１１上面１１ａの周面に配設される枠部材１２、前記枠部材１２により囲まれた内部を分割する複数の仕切り桟部材１３、及び上板１４は、有害物質を含有しない変成澱粉、または酢酸ビニールエマルジョンなどの接着剤により装着されるようになっている。
【００２２】
また、前記内装用建材パネル１０に使用される前記平板状の底板１１及び上板１４は、厚さ３ｍｍのシナ合板を用いている。但し、前記平板状の底板１１及び上板１４は、合板、化粧合板、ＭＤＦ，パーテクルボード及びプラスチックからなる群から選択された部材を用いてもよいことは勿論である。
【００２３】
以上の構成による本考案に係る内装用建材パネル１０は、底板１１及び上板１４のいずれか一方に複数の通気性を備える穴１５加工を施すと共に、前記枠部材１２及び仕切り桟部材１３と前記底板１１並びに上板１４によって形成される空間部１６に、ポリエスル、ポリプロピレン、不織布等からなるクッション材の表面、及び裏面の少なくとも一方に、木炭、活性炭、セラミック炭の微粉末とシリカゲル微細末を、アクリル、酢酸ビニールエマルジョン樹脂等の接着剤からなる接着層を介して塗布、含浸させて製作されたシート材１７を装填したことによって、脱臭、消臭、有害物質の吸着及び調湿機能を備えた内装用建材パネル１０を提供できると共に、特に住宅における押入れ、造り付け家具、流し台などの住宅資材に適用が可能である。
【００２４】
図２〜図４は本考案の内装用建材パネル１０を、住宅内部に造作される押入れに利用する状態を示すものである。
【００２５】
図２は、押入れの中段仕切りに用いるための全体斜視図で、押入れの４隅に位置する柱に固着される枠部材に、前記内装用建材パネル１０を組み付けた状態の押入れ中段仕切り用組立てセット２０である。
【００２６】
前記中段組立てセット２０は，前，後板２１，２２及び左，右側板２３，２４と、該前，後板２１，２２を左右方向に分割する中受板２５とを備え、且つ前記前，後板２１，２２の上方にそれぞれ対峙して形成された切欠き段部２１ａ，２２ａを有する組み付け枠部材２６を形成すると共に、前記枠部材２６に全長１８００ｍｍの前記内装用建材パネル１０を中央部より分割して９１０ｍｍの長さを有する内装用建材パネル１０ａ，１０ｂを着脱可能に装着したものである。
【００２７】
前記内装用建材パネル１０を分割して組み付け枠部材２６に着脱可能に装着したものであるため、必要において前記内装用建材パネル１０の一部を新品の内装用建材パネルに取り代えることで、脱臭、消臭、有害物質の吸着、湿度の調温などの機能を長く発揮させる構造とすることができる。
【符号の説明】
【００２８】
１０    内装用建材パネル  
１１    底板
１１ａ  底板の上面
１２    枠部材
１３    仕切り桟部材
１４    上板
１５    細孔
１６    空間部
１７    シート材
２０    押入れ用中段組立てセット
２１，２２  前，後板
２３，２４  左，右側板
２５    中受板
２１ａ，２２ａ  切欠き段部
２６    組み付け枠部材
【図１】
0003156327.tif 000003
【図２】
0003156327.tif 000004
【図３】
0003156327.tif 000005
【図４】
0003156327.tif 000006